(57)【要約】【課題】積み重ねて載置しても作品及び展示パネルの傷つきを防止することができる書道用展示パネルを提供すること。【解決手段】作品が貼着されるパネル本体１の周囲を枠体２で取り囲むようにし、枠体２を、パネル本体１を前面から保持する枠本体３と、枠本体３の背面に形成された溝３３に嵌着することによって枠本体３の背面に沿って配設され、パネル本体１を後面から保持する柔軟性を有する弾性材からなる押さえ部材４とにより構成する。【選択図】図１
0003111753.tif 000002
【実用新案登録請求の範囲】
【請求項１】
パネル本体の周囲を枠体で取り囲むようにした書道用展示パネルにおいて、前記枠体を、パネル本体を前面から保持する枠本体と、該枠本体の背面に形成された溝に嵌着することによって枠本体の背面に沿って配設され、パネル本体を後面から保持する柔軟性を有する弾性材からなる押さえ部材とにより構成したことを特徴とする書道用展示パネル。
【請求項２】
押さえ部材に枠本体の溝に嵌合する２条の脚部を備えるとともに、一方に脚部の先端のみに抜け止め用の返しを形成したことを特徴とする書道用展示パネル。
【考案の詳細な説明】
【技術分野】
【０００１】
本発明は、書道用展示パネルに関し、特に、積み重ねて載置しても作品及び展示パネルの傷つきを防止することができる書道用展示パネルに関するものである。
【背景技術】
【０００２】
書道の展示会では、通常、作品は、書道用展示パネルに貼り付けて展示される。
この書道用展示パネルは、所定厚みのパネルに紙や布を貼ることによって化粧した、紙又は布張りの平板状のものからなる。
【０００３】
ところで、このような書道用展示パネルは、別の場所で作品を展示パネルに貼り付けてから展示場に搬入することが多いが、その際に、展示パネルを積み重ねると作品が汚れたり破損したりすることがあるため、展示パネルを１枚ずつ搬送する必要があった。
【考案の開示】
【考案が解決しようとする課題】
【０００４】
本考案は、上記従来の書道用展示パネルの有する問題点に鑑み、積み重ねて載置しても作品及び展示パネルの傷つきを防止することができる書道用展示パネルを提供することを目的とする。
【課題を解決するための手段】
【０００５】
上記目的を達成するため、本考案の書道用展示パネルは、パネル本体の周囲を枠体で取り囲むようにした書道用展示パネルにおいて、前記枠体を、パネル本体を前面から保持する枠本体と、該枠本体の背面に形成された溝に嵌着することによって枠本体の背面に沿って配設され、パネル本体を背面から保持する柔軟性を有する弾性材からなる押さえ部材とにより構成したことを特徴とする。
【０００６】
この場合において、押さえ部材に枠本体の溝に嵌合する２条の脚部を備えるとともに、一方に脚部の先端のみに抜け止め用の返しを形成することができる。
【考案の効果】
【０００７】
本考案の書道用展示パネルによれば、パネル本体の周囲を枠体で取り囲むようにした書道用展示パネルにおいて、前記枠体を、パネル本体を前面から保持する枠本体と、該枠本体の背面に形成された溝に嵌着することによって枠本体の背面に沿って配設され、パネル本体を背面から保持する柔軟性を有する弾性材からなる押さえ部材とにより構成したことから、書道用展示パネルを積み重ねた際に、枠体によりパネル本体同士の間に一定の空隙を形成するとともに、柔軟性を有する弾性材からなる押さえ部材を枠本体に重合することによりクッション性を確保することができ、これにより、作品及び展示パネルを傷つけることなく積み重ねて搬送することができる。
【０００８】
また、押さえ部材に枠本体の溝に嵌合する２条の脚部を備えるとともに、一方に脚部の先端のみに抜け止め用の返しを形成することにより、押さえ部材の着脱を容易に行うことができる。
【考案を実施するための最良の形態】
【０００９】
以下、本考案の書道用展示パネルの実施の形態を、図面に基づいて説明する。
【実施例１】
【００１０】
図１〜図３に、本考案の書道用展示パネルの一実施例を示す。
この書道用展示パネルは、作品が貼着されるパネル本体１の周囲を枠体２で取り囲むようにしたもので、枠体２を、パネル本体１を前面から保持する枠本体３と、枠本体３の背面に形成された溝３３に嵌着することによって枠本体３の背面に沿って配設され、パネル本体１を背面から保持する柔軟性を有する弾性材からなる押さえ部材４とにより構成するようにしている。
【００１１】
パネル本体１は、芯材となる所定厚みのパネルに紙や布を貼ることによって化粧した、紙又は布張りの平板状のものからなる。
芯材となるパネルは、木製のもののほか、発泡合成樹脂製、その他の材料で形成することができる。
【００１２】
枠体２を構成する枠本体３は、金属、合成樹脂、木材等の硬質材からなり、本実施例では、アルミニウムの押し出し成形により形成された４本の枠材を、四角の枠状に組み立てたものからなる。
枠本体３を構成する枠材は、パネル本体１の前面を保持する前壁部３１と、パネル本体１の側面に添着される側壁部３２とを備え、側壁部３２の後端には、押さえ部材４の脚部４２が嵌合するチャネル状の溝３３が形成されている。
【００１３】
押さえ部材４は、合成樹脂、ゴム等の柔軟性を有する弾性材からなり、枠本体３を構成する枠材の背面に形成された溝３３に嵌着することによって枠本体３の背面に沿って配設される。
この押さえ部材４は、パネル本体１の背面を保持する舌状部４１と、この舌状部４１の基部に形成され、枠本体３の溝３３に嵌合する２条の脚部４２とを備えている。
この場合、脚部４２の一方に脚部の先端のみに抜け止め用の返し４２ａを形成することにより、押さえ部材４の着脱を容易に行うことができる。
押さえ部材４は、脚部４２が弾性変形をしながら溝３３に嵌合するとともに、舌状部４１がパネル本体１の背面を付勢するようにして保持することができる。
なお、押さえ部材４は、通常は、枠本体３の背面の略全周に沿って配設するが、例えば、枠本体３の角部や書道用展示パネルの固定部材（図示省略）を枠本体３の溝３３に嵌合する部分等、部分的に欠如部を設けることもできる。
【００１４】
かくして、本実施例の書道用展示パネルは、作品が貼着されるパネル本体１の周囲を枠体２で取り囲むとともに、枠体２を、パネル本体１を前面から保持する枠本体３と、枠本体３の背面に形成された溝３３に嵌着することによって枠本体３の背面に沿って配設され、パネル本体１を背面から保持する柔軟性を有する弾性材からなる押さえ部材４とにより構成することから、書道用展示パネルを積み重ねた際に、枠体２によりパネル本体１同士の間に一定の空隙を形成するとともに、柔軟性を有する弾性材からなる押さえ部材４を枠本体３に重合することによりクッション性を確保することができ、これにより、作品及び展示パネルを傷つけることなく積み重ねて搬送することができる。
【００１５】
以上、本考案の書道用展示パネルについて、その実施例に基づいて説明したが、本考案は上記実施例に記載した構成に限定されるものではなく、その趣旨を逸脱しない範囲において適宜その構成を変更することができるものである。
【産業上の利用可能性】
【００１６】
本考案の書道用展示パネルは、作品及び展示パネルを傷つけることなく積み重ねて搬送できることから、例えば、大きな展示場で数多く使用される書道用展示パネルの用途に好適に用いることができる。
【図面の簡単な説明】
【００１７】
【図１】本考案の書道用展示パネルの一実施例を示し、（ａ）は要部の分解断面図、（ｂ）は要部の断面図である。
【図２】同実施例の書道用展示パネルを示す正面図である。
【図３】同実施例の書道用展示パネルを示す背面図である。
【符号の説明】
【００１８】
１    パネル本体
２    枠体
３    枠本体
３１  前壁部
３２  側壁部
３３  溝
４    押さえ部材
４１  舌状部
４２  脚部
４２ａ  抜け止め用の返し
【図１】
0003111753.tif 000003
【図２】
0003111753.tif 000004
【図３】
0003111753.tif 000005
【手続補正書】
【提出日】平成17年3月9日(2005.3.9)
【手続補正１】
【補正対象書類名】実用新案登録請求の範囲
【補正対象項目名】全文
【補正方法】変更
【補正の内容】
【実用新案登録請求の範囲】
【請求項１】
パネル本体の周囲を枠体で取り囲むようにした書道用展示パネルにおいて、前記枠体を、パネル本体を前面から保持する枠本体と、該枠本体の背面に形成された溝に嵌着することによって枠本体の背面に沿って配設され、パネル本体を後面から保持する柔軟性を有する弾性材からなる押さえ部材とにより構成したことを特徴とする書道用展示パネル。
【請求項２】
押さえ部材に枠本体の溝に嵌合する２条の脚部を備えるとともに、一方に脚部の先端のみに抜け止め用の返しを形成したことを特徴とする請求項１記載の書道用展示パネル。